【手続補正書】
【提出日】平成18年9月8日(2006.9.8)
【手続補正１】
【補正対象書類名】特許請求の範囲
【補正対象項目名】全文
【補正方法】変更
【補正の内容】
【特許請求の範囲】
【請求項１】
試料中の被測定物質の含有量を測定する特異結合反応測定方法であって、
上記試料と、上記被測定物質に対して特異的に結合する特異結合物質が固定化された磁性粒子とを含む反応系を構築する工程（ａ）と、
上記反応系の光学特性を測定する工程（ｂ）と、
上記工程（ｂ）の後に、上記被測定物質と上記特異結合物質と上記磁性粒子とを含む凝集複合体を、磁力を利用して上記反応系から除去する工程（ｃ）と、
を含む特異結合反応測定方法。
【請求項２】
請求項１に記載の特異結合反応測定方法において、
上記光学特性は、散乱光強度または透過光量である、特異結合反応測定方法。
【請求項３】
請求項１に記載の特異結合反応測定方法において、
上記磁性粒子の直径は、約０．０５〜２μｍの範囲内である、特異結合反応測定方法。
【請求項４】
請求項１に記載の特異結合反応測定方法において、
上記工程（ｃ）で、上記反応系に残存する上記磁性粒子を上記反応系から除去する、特異結合反応測定方法。
【請求項５】
試料中の第１の被測定物質および第２の被測定物質の含有量を測定する特異結合反応測定方法であって、
上記試料と、上記第１の被測定物質に対して特異的に結合する第１の特異結合物質が固定化された磁性粒子とを含む反応系を構築する工程（ａ）と、
上記工程（ａ）の後に、上記反応系の光学特性を測定する工程（ｂ）と、
上記工程（ｂ）の後に、上記第１の被測定物質と上記第１の特異結合物質と上記磁性粒子とを含む凝集複合体を、磁力を利用して集める工程（ｃ）と、
上記反応系に、上記第２の被測定物質に対して特異的に結合する第２の特異結合物質を添加する工程（ｄ）と、
上記工程（ｄ）の後に、上記反応系の光学特性を測定する工程（ｅ）と、
を含む特異結合反応測定方法。
【請求項６】
請求項５に記載の特異結合反応測定方法において、
上記工程（ｄ）では、反応系がポリエチレングリコールを２〜６重量％含む、特異結合反応測定方法。
【請求項７】
請求項５に記載の特異結合反応測定方法において、
上記第２の特異結合物質は、上記第２の被測定物質に対して特異的に結合する抗原あるいは抗体と、上記抗原あるいは抗体が固定化された非磁性粒子とから構成されている、特異結合反応測定方法。
【請求項８】
請求項７に記載の特異結合反応測定方法において、
上記磁性粒子の直径は、約０．０５〜２μｍの範囲内であり、
上記非磁性粒子の直径は、約０．０５〜２μｍの範囲内である、特異結合反応測定方法。
【請求項９】
請求項５に記載の特異結合反応測定方法において、
上記第１の被測定物質と上記第２の被測定物質との組み合わせは、ヒトヘモグロビンとヒトアルブミンとの組み合わせである、特異結合反応測定方法。
【請求項１０】
請求項５に記載の特異結合反応測定方法において、
上記工程（ｃ）で、上記反応系に残存する上記磁性粒子を集める、特異結合反応測定方法。
【請求項１１】
試料中のｎ種類（ｎは２以上の整数）の被測定物質の含有量を測定する特異結合反応測定方法であって、
上記試料と、未測定の被測定物質のうちの１種類に対して特異的に結合する特異結合物質が固定化された磁性粒子とを含む反応系を構築する工程（ａ）と、
上記工程（ａ）の後に、上記反応系の光学特性を測定する工程（ｂ）と、
上記工程（ｂ）の後に、上記１種類の被測定物質と上記特異結合物質と上記磁性粒子とを含む凝集複合体を、磁力を利用して上記反応系から除去する工程（ｃ）と、
上記工程（ｃ）の後に、上記工程（ｂ）が（ｎ−１）回目未満であった場合、再度工程（ａ）に進むように判断する工程（ｄ）と、
上記反応系に、上記反応系に残った１種類の未測定の被測定物質に対して特異的に結合する特異結合物質を添加する工程（ｅ）と、
上記工程（ｅ）の後に、上記反応系の光学特性を測定する工程（ｆ）と、
を含む特異結合反応測定方法。
【請求項１２】
請求項１１に記載の特異結合反応測定方法において、
上記工程（ｃ）で、上記反応系に残存する上記磁性粒子を上記反応系から除去する、特異結合反応測定方法。
【請求項１３】
試料中のｎ種類（ｎは２以上の整数）の被測定物質の含有量を測定する特異結合反応測定方法であって、
上記試料と、未測定の被測定物質のうちの１種類に対して特異的に結合する特異結合物質とを含む反応系を構築する工程（ａ）と、
上記工程（ａ）の後に、上記反応系の光学特性を測定する工程（ｂ）と、
上記工程（ｂ）の後に、上記１種類の被測定物質と上記特異結合物質とからなる凝集複合体に、結合可能な物質と磁性粒子とを含む磁性複合体を反応系に添加する工程（ｃ）と、
上記磁性複合体が結合した上記凝集複合体を、磁力を利用して上記反応系から除去する工程（ｄ）と、
上記工程（ｄ）の後に、上記工程（ｂ）が（ｎ−１）回目未満であった場合、再度工程（ａ）に進むように判断する工程（ｅ）と、
上記反応系に、上記反応系に残った１種類の未測定の被測定物質に対して特異的に結合する特異結合物質を添加する工程（ｆ）と、
上記工程（ｅ）の後に、上記反応系の光学特性を測定する工程（ｇ）と、
を含む特異結合反応測定方法。
【請求項１４】
請求項１３に記載の特異結合反応測定方法において、
上記工程（ｄ）で、上記凝集複合体に結合していない上記磁性複合体を上記反応系から除去する、特異結合反応測定方法。
【手続補正２】
【補正対象書類名】明細書
【補正対象項目名】０００８
【補正方法】変更
【補正の内容】
【０００８】
本発明の特異結合反応測定方法は、試料中の被測定物質の含有量を測定する特異結合反応測定方法であって、上記試料と、上記被測定物質に対して特異的に結合する特異結合物質が固定化された磁性粒子とを含む反応系を構築する工程（ａ）と、上記反応系の光学特性を測定する工程（ｂ）と、上記工程（ｂ）の後に、上記被測定物質と上記特異結合物質と上記磁性粒子とを含む凝集複合体を、磁力を利用して上記反応系から除去する工程（ｃ）とを含む。
【手続補正３】
【補正対象書類名】明細書
【補正対象項目名】００１４
【補正方法】変更
【補正の内容】
【００１４】
本発明の別の特異結合反応測定方法は、試料中の第１の被測定物質および第２の被測定物質の含有量を測定する特異結合反応測定方法であって、上記試料と、上記第１の被測定物質に対して特異的に結合する第１の特異結合物質が固定化された磁性粒子とを含む反応系を構築する工程（ａ）と、上記工程（ａ）の後に、上記反応系の光学特性を測定する工程（ｂ）と、上記工程（ｂ）の後に、上記第１の被測定物質と上記第１の特異結合物質と上記磁性粒子とを含む凝集複合体を、磁力を利用して集める工程（ｃ）と、上記反応系に、上記第２の被測定物質に対して特異的に結合する第２の特異結合物質を添加する工程（ｄ）と、上記工程（ｄ）の後に、上記反応系の光学特性を測定する工程（ｅ）とを含む。
【手続補正４】
【補正対象書類名】明細書
【補正対象項目名】００２２
【補正方法】変更
【補正の内容】
【００２２】
本発明のさらに別の特異結合反応測定方法は、試料中のｎ種類（ｎは２以上の整数）の被測定物質の含有量を測定する特異結合反応測定方法であって、上記試料と、未測定の被測定物質のうちの１種類に対して特異的に結合する特異結合物質が固定化された磁性粒子とを含む反応系を構築する工程（ａ）と、上記工程（ａ）の後に、上記反応系の光学特性を測定する工程（ｂ）と、上記工程（ｂ）の後に、上記１種類の被測定物質と上記特異結合物質と上記磁性粒子とを含む凝集複合体を、磁力を利用して上記反応系から除去する工程（ｃ）と、上記工程（ｃ）の後に、上記工程（ｂ）が（ｎ−１）回目未満であった場合、再度工程（ａ）に進むように判断する工程（ｄ）と、上記反応系に、上記反応系に残った１種類の未測定の被測定物質に対して特異的に結合する特異結合物質を添加する工程（ｅ）と、上記工程（ｅ）の後に、上記反応系の光学特性を測定する工程（ｆ）とを含む。
【手続補正５】
【補正対象書類名】明細書
【補正対象項目名】００２６
【補正方法】変更
【補正の内容】
【００２６】
本発明のまたさらに別の特異結合反応測定方法は、試料中のｎ種類（ｎは２以上の整数）の被測定物質の含有量を測定する特異結合反応測定方法であって、上記試料と、未測定の被測定物質のうちの１種類に対して特異的に結合する特異結合物質とを含む反応系を構築する工程（ａ）と、上記工程（ａ）の後に、上記反応系の光学特性を測定する工程（ｂ）と、上記工程（ｂ）の後に、上記１種類の被測定物質と上記特異結合物質とを含む凝集複合体に、結合可能な物質と磁性粒子とを含む磁性複合体を反応系に添加する工程（ｃ）と、上記磁性複合体が結合した上記凝集複合体を、磁力を利用して上記反応系から除去する工程（ｄ）と、上記工程（ｄ）の後に、上記工程（ｂ）が（ｎ−１）回目未満であった場合、再度工程（ａ）に進むように判断する工程（ｅ）と、上記反応系に、上記反応系に残った１種類の未測定の被測定物質に対して特異的に結合する特異結合物質を添加する工程（ｆ）と、上記工程（ｅ）の後に、上記反応系の光学特性を測定する工程（ｇ）とを含む。
【手続補正６】
【補正対象書類名】明細書
【補正対象項目名】００３０
【補正方法】削除
【補正の内容】
【手続補正７】
【補正対象書類名】明細書
【補正対象項目名】００３１
【補正方法】削除
【補正の内容】
【手続補正８】
【補正対象書類名】明細書
【補正対象項目名】００３２
【補正方法】削除
【補正の内容】
【手続補正９】
【補正対象書類名】明細書
【補正対象項目名】００３３
【補正方法】削除
【補正の内容】
【手続補正１０】
【補正対象書類名】明細書
【補正対象項目名】００３４
【補正方法】削除
【補正の内容】
【手続補正１１】
【補正対象書類名】明細書
【補正対象項目名】００３５
【補正方法】削除
【補正の内容】
【手続補正１２】
【補正対象書類名】明細書
【補正対象項目名】００３６
【補正方法】削除
【補正の内容】
【手続補正１３】
【補正対象書類名】明細書
【補正対象項目名】００３７
【補正方法】削除
【補正の内容】
【手続補正１４】
【補正対象書類名】明細書
【補正対象項目名】００３８
【補正方法】削除
【補正の内容】
【手続補正１５】
【補正対象書類名】明細書
【補正対象項目名】００３９
【補正方法】削除
【補正の内容】
【手続補正１６】
【補正対象書類名】図面
【補正対象項目名】図６
【補正方法】変更
【補正の内容】
【図６】
2004177402.tif 000001